(57)【要約】【課題】エラーの重要性に応じて、ユーザーが選択できる処理の内容を変更することができる画像形成システムを提供する。【解決手段】画像形成システムは、携帯型端末３、及び第１画像形成装置１を備える。携帯型端末３は、ディスプレー３１１、及び端末制御部３０を有する。端末制御部３０は、第１画像データを第１画像形成装置１へ送信する。第１画像形成装置１は、第１装置制御部１０、及び第１画像形成部１１を有する。第１画像形成部１１は、第１画像データに基づいて画像形成処理を実行する。第１装置制御部１０は、画像形成処理の実行中に、画像形成処理を続行できないエラー状態になると、エラー状態であることを示すエラー発生情報を端末制御部１０へ送信する。端末制御部１０は、エラー発生情報を受信すると、所定の処理のうちの１つを選択させる選択画面をディスプレー３１１に表示させる。所定の処理は、エラーの重大性に応じて変更される。【選択図】図２
2018201152.tif 000002
【特許請求の範囲】
【請求項１】
携帯型端末と、第１画像形成装置とを備えた画像形成システムであって、
前記携帯型端末は、
ディスプレーと、
前記第１画像形成装置と通信可能な端末通信機と、
前記端末通信機を介して前記第１画像形成装置に第１画像データを送信する端末制御部と
を有し、
前記第１画像形成装置は、
前記端末通信機と通信可能な第１装置通信機と、
前記第１装置通信機を介して前記第１画像データを受信する第１装置制御部と、
前記第１装置制御部が受信した前記第１画像データに基づいて画像を形成する画像形成処理を実行する第１画像形成部と
を有し、
前記第１装置制御部は、前記第１画像データに基づく画像形成処理の実行中に発生したエラーに起因して前記第１画像形成装置が前記画像形成処理を続行できないエラー状態になると、前記第１画像形成装置が前記エラー状態であることを示すエラー発生情報を前記第１装置通信機及び前記端末通信機を介して前記端末制御部へ送信し、
前記端末制御部は、前記エラー発生情報を受信すると、前記携帯型端末を利用する端末ユーザーに所定の処理のうちの１つを選択させる選択画面を前記ディスプレーに表示させ、前記所定の処理は、前記エラーの重大性に応じて変更される、画像形成システム。
【請求項２】
前記画像形成システムは、前記第１画像形成装置とは異なる第２画像形成装置を更に備え、
前記所定の処理は、第１続行処理及び第２続行処理を含み、
前記第１続行処理は、前記第１画像データに基づく画像形成処理を続行できる通常状態に前記第１画像形成装置を復帰させて前記第１画像データに基づく画像形成処理を続行させるための処理を示し、
前記第２続行処理は、前記第２画像形成装置に対して第２画像データに基づく画像形成処理を実行させるための処理を示し、前記第２画像データは、前記第１画像データのうち、前記第１画像形成部によって画像が形成されなかった未形成の画像を示す、請求項１に記載の画像形成システム。
【請求項３】
前記エラーの重大性は、重大及び軽微を含み、
前記端末制御部は、前記エラーの重大性が前記軽微であると判定した場合、前記第１続行処理及び前記第２続行処理のうちのいずれかを選択可能な前記選択画面を前記ディスプレーに表示させ、前記エラーの重大性が前記重大であると判定した場合、前記第２続行処理を選択可能な前記選択画面を前記ディスプレーに表示させる、請求項２に記載の画像形成システム。
【請求項４】
前記携帯型端末は、データを記憶する端末記憶装置を更に有し、
前記端末制御部は、前記第２続行処理が選択されると、前記第２画像データの転送要求を、前記端末通信機及び前記第１装置通信機を介して前記第１装置制御部へ送信し、
前記第１装置制御部は、前記転送要求を受信すると、前記第２画像データを前記第１装置通信機及び前記端末通信機を介して前記端末制御部へ送信し、
前記端末制御部は、前記第２画像データを受信すると、前記第２画像データを前記端末記憶装置に記憶させる、請求項２又は請求項３に記載の画像形成システム。
【請求項５】
前記第２画像形成装置は、
前記端末通信機と通信可能な第２装置通信機と、
前記第２画像データを、前記第２装置通信機を介して受信する第２装置制御部と、
前記第２装置制御部が受信した前記第２画像データに基づいて画像を形成する第２画像形成部と
を有し、
前記端末制御部は、前記端末記憶装置に記憶された前記第２画像データを前記端末通信機及び前記第２装置通信機を介して前記第２装置制御部へ送信し、
前記第２装置制御部は、受信した前記第２画像データに基づく画像形成処理を前記第２画像形成部に実行させる、請求項４に記載の画像形成システム。
【請求項６】
前記携帯型端末は、前記携帯型端末の位置を示す端末位置情報を取得する端末位置情報取得装置を更に有し、
前記端末制御部は、前記端末位置情報と前記第２画像形成装置の位置を示す装置位置情報とに基づいて前記携帯型端末と前記第２画像形成装置との間の離間距離を算出し、
前記端末制御部は、前記離間距離が閾値以下になると、前記端末通信機及び前記第２装置通信機を介して、認証処理の開始要求を前記第２装置制御部に送信し、
前記第２装置制御部は、前記認証処理の開始要求を受信すると、前記認証処理の実行が可能か否かを判定し、前記認証処理の実行が可能であると判定すると、前記第２装置通信機及び前記端末通信機を介して、前記認証処理の開始許可を前記端末制御部に送信し、
前記端末制御部は、前記開始許可を受信すると、前記端末通信機及び前記第２装置通信機を介して、前記端末ユーザーを示す端末ユーザー情報を前記第２装置制御部へ送信し、
前記第２装置制御部は、前記端末ユーザー情報を受信すると、前記端末ユーザー情報と一致する権限ユーザー情報がユーザー登録テーブルに予め登録されているか否かを判定し、前記端末ユーザー情報と一致する前記権限ユーザー情報が前記ユーザー登録テーブルに登録されていると判定すると、認証成功信号を前記第２装置通信機及び前記端末通信機を介して前記端末制御部へ送信し、
前記端末制御部は、前記認証成功信号を受信すると、前記端末記憶装置に記憶された前記第２画像データを前記端末通信機及び前記第２装置通信機を介して前記第２装置制御部へ送信し、
前記第２装置制御部は、受信した前記第２画像データに基づく画像形成処理を前記第２画像形成部に実行させる、請求項５に記載の画像形成システム。
【請求項７】
前記画像形成システムは、
外部装置を更に備え、
前記外部装置は、
第３装置制御部と、
前記第１装置通信機と通信可能な第３装置通信機と、
データを記憶する記憶領域と
有し、
前記端末制御部は、前記第２続行処理が選択されると、前記第２画像データの転送要求を前記端末通信機及び前記第１装置通信機を介して前記第１装置制御部に送信し、
前記第１装置制御部は、前記転送要求を受信すると、前記第２画像データ及び前記端末ユーザーを示す端末ユーザー情報を前記第１装置通信機及び前記第３装置通信機を介して前記第３装置制御部へ送信し、
前記第３装置制御部は、前記第２画像データ及び前記端末ユーザー情報を受信すると、受信した前記第２画像データ及び前記端末ユーザー情報を互いに関連付けて前記記憶領域に記憶させる、請求項２又は請求項３に記載の画像形成システム。
【請求項８】
前記第２画像形成装置は、
前記端末通信機及び前記第３装置通信機と通信可能な第２装置通信機と、
前記第２画像データ、及び前記端末ユーザー情報を、前記第２装置通信機を介して受信する第２装置制御部と、
前記第２装置制御部が受信した前記第２画像データに基づいて画像を形成する第２画像形成部と
を有し、
前記第２装置制御部は、前記端末ユーザー情報を、前記端末通信機及び前記第２装置通信機を介して受信すると、前記端末ユーザー情報と関連付けられた前記第２画像データを前記第３装置通信機及び前記第２装置通信機を介して受信し、受信した前記第２画像データに基づく画像形成処理を前記第２画像形成部に実行させる、請求項７に記載の画像形成システム。
【請求項９】
前記携帯型端末は、前記携帯型端末の位置を示す端末位置情報を取得する端末位置情報取得装置を更に有し、
前記端末制御部は、前記端末位置情報と前記第２画像形成装置の位置を示す装置位置情報とに基づいて前記携帯型端末と前記第２画像形成装置との間の離間距離を算出し、
前記端末制御部は、前記離間距離が閾値以下になると、前記端末通信機及び前記第２装置通信機を介して、認証処理の開始要求を前記第２装置制御部に送信し、
前記第２装置制御部は、前記認証処理の開始要求を受信すると、前記認証処理の実行が可能か否かを判定し、前記認証処理の実行が可能であると判定すると、前記第２装置通信機及び前記端末通信機を介して、前記認証処理の開始許可を前記端末制御部に送信し、
前記端末制御部は、前記開始許可を受信すると、前記端末通信機及び前記第２装置通信機を介して、前記端末ユーザー情報を前記第２装置制御部へ送信し、
前記第２装置制御部は、前記端末ユーザー情報を受信すると、前記端末ユーザー情報と一致する権限ユーザー情報がユーザー登録テーブルに予め登録されているか否かを判定し、前記端末ユーザー情報と一致する前記権限ユーザー情報が前記ユーザー登録テーブルに登録されていると判定すると、認証成功信号を前記第２装置通信機及び前記端末通信機を介して前記端末制御部へ送信するとともに、前記端末ユーザー情報と関連付けられた前記第２画像データを前記第３装置通信機及び前記第２装置通信機を介して受信し、受信した前記第２画像データに基づく画像形成処理を前記第２画像形成部に実行させる、請求項８に記載の画像形成システム。
【発明の詳細な説明】
【技術分野】
【０００１】
本発明は、画像形成システムに関する。
【背景技術】
【０００２】
複写機のような画像形成装置において、印刷ジョブの実行中にジャム等のエラーが発生すると、エラーが発生した画像形成装置とは異なる画像形成装置を利用して印刷ジョブを完了させる技術が開発されている。例えば、特許文献１には、複写機でエラーが発生すると、別の複写機に原稿画像を転送してプリントする画像形成システムが開示されている。詳しくは、特許文献１に開示の画像形成システムは、スキャンを行う送信側複写機と、送信側複写機からネットワークを介して画像を受信する受信側複写機とを備え、受信側複写機でエラーが発生した場合、画像を第３の複写機に転送する。
【先行技術文献】
【特許文献】
【０００３】
【特許文献１】特開２００３―１８９０４６号公報
【発明の概要】
【発明が解決しようとする課題】
【０００４】
しかしながら、特許文献１に開示の画像形成システムでは、発生したエラーの重大性に関わらず、画像が第３の複写機に転送されてしまう。
【０００５】
本発明は、上記課題に鑑み、エラーの重要性に応じて、ユーザーが選択できる処理の内容を変更することができる画像形成システムを提供することを目的とする。
【課題を解決するための手段】
【０００６】
本発明の画像形成システムは、携帯型端末と、第１画像形成装置とを備える。前記携帯型端末は、ディスプレーと、端末通信機と、端末制御部とを有する。前記端末通信機は、前記第１画像形成装置と通信可能である。前記端末制御部は、前記端末通信機を介して前記第１画像形成装置に第１画像データを送信する。前記第１画像形成装置は、第１装置通信機と、第１装置制御部と、第１画像形成部とを有する。前記第１装置通信機は、前記端末通信機と通信可能である。前記第１装置制御部は、前記第１装置通信機を介して前記第１画像データを受信する。前記第１画像形成部は、前記第１装置制御部が受信した前記第１画像データに基づいて画像を形成する画像形成処理を実行する。前記第１装置制御部は、前記第１画像データに基づく画像形成処理の実行中に発生したエラーに起因して前記第１画像形成装置が前記画像形成処理を続行できないエラー状態になると、前記第１画像形成装置が前記エラー状態であることを示すエラー発生情報を前記第１装置通信機及び前記端末通信機を介して前記端末制御部へ送信する。前記端末制御部は、前記エラー発生情報を受信すると、前記携帯型端末を利用する端末ユーザーに所定の処理のうちの１つを選択させる選択画面を前記ディスプレーに表示させる。前記所定の処理は、前記エラーの重大性に応じて変更される。
【発明の効果】
【０００７】
本発明によれば、エラーの重要性に応じて、ユーザーが選択できる処理の内容を変更することができる。
【図面の簡単な説明】
【０００８】
【図１】本発明の実施形態１に係る画像形成システムの構成を示す図である。
【図２】本発明の実施形態１に係る第１画像形成装置及び携帯型端末の構成を示すブロック図である。
【図３】本発明の実施形態１に係る第２画像形成装置及び携帯型端末の構成を示すブロック図である。
【図４】本発明の実施形態１に係る第１画像形成装置と携帯型端末とによって実行される認証開始要求処理を示すフローチャートである。
【図５】本発明の実施形態１に係る第１画像形成装置によって実行される認証処理を示すフローチャートである。
【図６】本発明の実施形態１に係る第１画像形成装置と携帯型端末とによって実行される画像形成開始処理を示すフローチャートである。
【図７】本発明の実施形態１に係る第１画像形成装置によって実行されるエラー発生情報送信処理を示すフローチャートである。
【図８】本発明の実施形態１に係る重大性テーブルの一例を示す図である。
【図９】本発明の実施形態１に係る携帯型端末によって実行される選択画面表示処理を示すフローチャートである。
【図１０】本発明の実施形態１に係る第１選択画面の一例を示す図である。
【図１１】本発明の実施形態１に係る第２選択画面の一例を示す図である。
【図１２】本発明の実施形態１に係る第１続行処理情報の一例を示す図である。
【図１３】本発明の実施形態１に係る第２続行処理情報の一例を示す図である。
【図１４】本発明の実施形態１に係る第１画像形成装置と携帯型端末とによって実行される第２画像データ転送処理を示すフローチャートである。
【図１５】本発明の実施形態１に係る第２画像形成装置と携帯型端末とによって実行される第２画像データに基づく画像形成処理を示すフローチャートである。
【図１６】本発明の実施形態２に係る画像形成システムの構成を示す図である。
【図１７】本発明の実施形態２に係る画像形成システムの構成を示すブロック図である。
【図１８】本発明の実施形態２に係る第１画像形成装置と携帯型端末とによって実行される第２画像データ転送処理を示すフローチャートである。
【図１９】本発明の実施形態２に係る第２画像形成装置によって実行される第２画像データに基づく画像形成処理を示すフローチャートである。
【発明を実施するための形態】
【０００９】
以下、図面を参照して、本発明に係る画像形成システムの実施形態について説明する。なお、図中、同一又は相当部分については同一の参照符号を付して説明を繰り返さない。また、図面は、理解しやすくするために、それぞれの構成要素を主体に模式的に示している。
【００１０】
［実施形態１］
まず、図１を参照して、本発明の実施形態１に係る画像形成システム５の構成について説明する。図１は、本発明の実施形態１に係る画像形成システム５の構成を示す図である。
【００１１】
図１に示すように、画像形成システム５は、第１画像形成装置１、第２画像形成装置２、及び携帯型端末３を備える。第１画像形成装置１と携帯型端末３とは互いに通信可能である。第２画像形成装置２と携帯型端末３とは互いに通信可能である。第１画像形成装置１及び第２画像形成装置２は、例えば、複合機であり、携帯型端末３は、例えば、スマートフォンである。本実施形態では、携帯型端末３が印刷ジョブの実行要求を第１画像形成装置１に送信する場合を例に説明する。
【００１２】
携帯型端末３は、タッチパネル３１を有する。タッチパネル３１は、操作画面等を表示する。本実施形態において、ユーザーは、タッチパネル３１を操作することによって、画像データ（印刷ジョブの実行要求）を第１画像形成装置１に送信することができる。以下、携帯型端末３が第１画像形成装置１へ送信する画像データを「第１画像データ」と記載する。第１画像形成装置１は、第１画像データを受信すると、第１画像データに基づいて用紙のようなシートに画像を形成する。以下、シートに画像を形成する処理を「画像形成処理」と記載する。
【００１３】
本実施形態において、第１画像形成装置１は、画像形成処理の実行中にエラーが発生して画像形成処理を実行できないエラー状態になると、自己診断処理を実行する。第１画像形成装置１は、自己診断処理が完了すると、エラー発生情報を携帯型端末３へ送信する。エラー発生情報は、第１画像形成装置１がエラー状態であることを示す情報、及び発生したエラーの内容を示す情報を含む。エラーの内容は、自己診断処理によって取得される。エラーの内容は、例えば、ジャムエラーである。
【００１４】
携帯型端末３は、エラー発生情報を受信すると、エラー発生情報に応じた選択画面をタッチパネル３１に表示させる。選択画面は、エラーの重大性に応じて変更される。選択画面は、携帯型端末３を利用する端末ユーザーに所定の処理のうちの１つを選択させる画面である。所定の処理は、第１画像データに基づく画像形成処理を続行（完了）させるための処理を含む。
【００１５】
次に、図２及び図３を参照して、本発明の実施形態１に係る画像形成システム５の構成について更に説明する。図２は、本発明の実施形態１に係る第１画像形成装置１及び携帯型端末３の構成を示すブロック図である。
【００１６】
図２に示すように、第１画像形成装置１は、第１装置制御部１０、第１画像形成部１１、第１装置通信機１２、及び第１装置記憶装置１３を有する。
【００１７】
第１装置制御部１０は、ＣＰＵ（Ｃｅｎｔｒａｌ  Ｐｒｏｃｅｓｓｉｎｇ  Ｕｎｉｔ）等によって構成される。第１装置制御部１０は、第１画像形成装置１が備える各部の動作を制御する。本実施形態において、第１装置制御部１０は、ユーザー登録テーブルを参照して認証処理を実行する。また、第１装置制御部１０は、画像データを受信すると、画像データに基づく画像形成処理を第１画像形成部１１に実行させる。
【００１８】
第１画像形成部１１は、画像データに基づいて画像形成処理を実行する。本実施形態において、第１画像形成部１１は、電子写真方式によってシートに画像を形成する。第１画像形成部１１は、例えば、露光装置、帯電装置、感光体ドラム、現像装置、シート搬送装置、及びシート給紙装置を含む。なお、第１画像形成部１１は、インクジェット方式によってシートに画像を形成してもよい。
【００１９】
第１装置通信機１２は、同じ通信方式（プロトコル）を利用する通信装置が実装された電子機器との間で通信が可能である。通信は、例えば、無線ＬＡＮ（Ｌｏｃａｌ  Ａｒｅａ  Ｎｅｔｗｏｒｋ）通信である。本実施形態において、第１装置通信機１２は、無線ＬＡＮモジュール又は無線ＬＡＮカードを含む。
【００２０】
第１装置記憶装置１３は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等によって構成される。第１装置記憶装置１３は、第１画像形成装置１の動作を制御するための制御プログラムを記憶する。第１装置制御部１０は、制御プログラムを実行することにより第１画像形成装置１の各部の動作を制御する。なお、第１装置記憶装置１３は、ＨＤＤに替えてＳＳＤ（Ｓｏｌｉｄ  Ｓｔａｔｅ  Ｄｒｉｖｅ）等を含み得る。
【００２１】
本実施形態において、第１装置記憶装置１３は、ユーザー登録テーブル１３１及びジョブ管理情報１３２を記憶する。
【００２２】
ユーザー登録テーブル１３１は、第１装置制御部１０が認証処理を実行する際に参照される。ユーザー登録テーブル１３１には、権限ユーザー情報が予め登録されている。権限ユーザー情報は、ユーザー識別情報、及びパスワードを示す情報を含む。パスワードを示す情報は、ユーザー識別情報に関連付けて、ユーザー登録テーブル１３１に登録されている。
【００２３】
ジョブ管理情報１３２は、印刷ジョブの実行要求を送信したユーザー（携帯型端末３を利用する端末ユーザー）を示す情報、及びジョブの状態を示す情報を含む。本実施形態において、ジョブの状態を示す情報は、携帯型端末３から第１画像形成装置１に送信された画像データ（第１画像データ）に基づく画像形成処理の進捗状況を示す情報を含む。
【００２４】
次に、図３を参照して、本発明の実施形態１に係る第２画像形成装置２の構成について説明する。図３は、本発明の実施形態１に係る第２画像形成装置２及び携帯型端末３の構成を示すブロック図である。
【００２５】
図３に示すように、第２画像形成装置２は、第２装置制御部２０、第２画像形成部２１、第２装置通信機２２、及び第２装置記憶装置２３を有する。第２装置制御部２０、第２画像形成部２１、第２装置通信機２２、及び第２装置記憶装置２３の構成は、図２を参照して説明した第１装置制御部１０、第１画像形成部１１、第１装置通信機１２、及び第１装置記憶装置１３の構成と略同じであるため説明は省略する。
【００２６】
続いて、図２及び図３を参照して、本発明の実施形態１に係る携帯型端末３の構成について説明する。
【００２７】
携帯型端末３は、タッチパネル３１に加え、端末制御部３０、端末通信機３２、ＧＰＳ受信機３３、及び端末記憶装置３４を有する。
【００２８】
端末制御部３０は、ＣＰＵ等によって構成される。端末制御部３０は、携帯型端末３が備える各部の動作を制御する。
【００２９】
タッチパネル３１は、ディスプレー３１１、及びタッチセンサー３１２を含む。本実施形態において、ディスプレー３１１は、液晶ディスプレーである。なお、ディスプレー３１１は、有機ＥＬディスプレー（Ｏｒｇａｎｉｃ  ＥｌｅｃｔｒｏＬｕｍｉｎｅｓｃｅｎｃｅ  ｄｉｓｐｌａｙ）であってもよい。
【００３０】
ディスプレー３１１は、表示面を有する。ディスプレー３１１は、選択画面に加え、携帯型端末３を操作するための操作画面等を表示する。
【００３１】
タッチセンサー３１２は、タッチ面を有する。本実施形態において、タッチ面は、表示面の上に配置される。タッチセンサー３１２は、タッチ面に対する押下を検知すると、押下された位置を示す信号を生成する。押下された位置を示す信号は、端末制御部３０へ送信される。端末制御部３０は、表示面に表示されたボタンの中から、受信した信号によって示される位置に対応するボタンを判定する。これにより、端末制御部３０は、ユーザーによって押下されたボタンを判定することができる。本実施形態において、タッチセンサー３１２は、抵抗膜方式のタッチセンサーである。なお、タッチセンサー３１２は、静電容量方式であってもよい。
【００３２】
端末通信機３２は、第１装置通信機１２及び第２装置通信機２２と同じ通信方式を利用して、第１装置通信機１２及び第２装置通信機２２と通信する。本実施形態において、端末通信機３２は、無線ＬＡＮモジュール又は無線ＬＡＮカードを含む。端末制御部３０は、第１装置通信機１２及び第２装置通信機２２と端末通信機３２とが互いに通信が可能となるように予め通信確立処理（例えば、ペアリング処理）を実行する。
【００３３】
ＧＰＳ受信機３３は、ＧＰＳ衛星からの電波を受信し、携帯型端末３の現在位置を示す情報を取得する。以下、携帯型端末３の現在位置を「端末位置」と記載する。ＧＰＳ受信機３３は、取得した端末位置を示す情報を端末制御部３０へ定期的に送信する。以下、端末位置を示す情報を「端末位置情報」と記載する。端末位置情報は、携帯型端末３が位置する場所の経度及び緯度を示す。
【００３４】
端末記憶装置３４は、ＨＤＤ、ＲＡＭ、及びＲＯＭ等によって構成される。端末記憶装置３４は、携帯型端末３の動作を制御するための制御プログラムを記憶する。端末制御部３０は、制御プログラムを実行することにより携帯型端末３の各部の動作を制御する。なお、端末記憶装置３４は、ＨＤＤに替えてＳＳＤ等を含み得る。
【００３５】
本実施形態において、端末記憶装置３４は、第１装置位置情報３４１、第２装置位置情報３４２及び離間閾値３４３を記憶する。
【００３６】
第１装置位置情報３４１は、第１画像形成装置１が設置された位置（第１装置位置）の情報を示す。第１装置位置情報３４１は、第１画像形成装置１が設置された場所の経度及び緯度を示す。第２装置位置情報３４２は、第２画像形成装置２が設置された位置（第２装置位置）の情報を示す。第２装置位置情報３４２は、第２画像形成装置２が設置された場所の経度及び緯度を示す。
【００３７】
離間閾値３４３は、第１画像形成装置１と携帯型端末３との間の第１離間距離及び第２画像形成装置２と携帯型端末３との間の第２離間距離に対して設定された閾値である。本実施形態において、離間閾値３４３は、例えば、第１装置通信機１２と端末通信機３２との間で無線ＬＡＮ通信が可能な距離及び第２装置通信機２２と端末通信機３２との間で無線ＬＡＮ通信が可能な距離よりも小さい値（例えば、１ｍ）を示す。
【００３８】
端末制御部３０は、ＧＰＳ受信機３３から端末位置情報を受信すると、受信した端末位置情報及び第１装置位置情報３４１に基づいて、携帯型端末３と第１画像形成装置１との間の第１離間距離を算出する。同様に、端末制御部３０は、ＧＰＳ受信機３３から受信した端末位置情報及び第２装置位置情報３４２に基づいて、携帯型端末３と第２画像形成装置２との間の第２離間距離を算出する。端末制御部３０は、算出した第１離間距離又は第２離間距離が離間閾値３４３以下であるか否かを判定する。端末制御部３０は、第１離間距離又は第２離間距離が離間閾値３４３以下であると判定すると、第１画像形成装置１又は第２画像形成装置２へ認証処理の開始要求を送信する。例えば、端末ユーザーは、認証処理が成功した後に、携帯型端末３を利用して第１画像形成装置１又は第２画像形成装置２に対して印刷ジョブの実行を要求することができる。端末制御部３０は、第１画像形成装置１への認証処理が成功した場合、端末ユーザーの指示（操作）に応じて画像データを端末通信機３２及び第１装置通信機１２を介して第１装置制御部１０へ送信する。
【００３９】
次に、図２及び図４を参照して、本発明の実施形態１に係る第１画像形成装置１と携帯型端末３とによって実行される認証開始要求処理について説明する。図４は、本発明の実施形態１に係る第１画像形成装置１と携帯型端末３とによって実行される認証開始要求処理を示すフローチャートである。認証開始要求処理は、端末制御部３０がＧＰＳ受信機３３から端末位置情報を取得する度に実行される。
【００４０】
図４に示すように、端末制御部３０は、第１離間距離又は第２離間距離が離間閾値３４３以下であるか否かを判定する（ステップＳ１０２）。第１離間距離又は第２離間距離が離間閾値３４３以下ではないと端末制御部３０によって判定されると（ステップＳ１０２：Ｎｏ）、認証開始要求処理は、終了する。端末制御部３０は、第１離間距離が離間閾値３４３以下であると判定すると（ステップＳ１０２：Ｙｅｓ）、端末通信機３２及び第１装置通信機１２を介して、認証処理の開始要求を第１装置制御部１０へ送信する（ステップＳ１０４）。
【００４１】
第１装置制御部１０は、認証処理の開始要求を受信すると、認証処理の実行が可能か否かを判定する（ステップＳ１０６）。第１装置制御部１０は、例えば、携帯型端末３を利用する端末ユーザーとは異なる別ユーザーが第１画像形成装置１にログインしているか否かを判定する。認証処理の実行が可能ではない（例えば、第１画像形成装置１に別ユーザーがログインしている）と第１装置制御部１０によって判定されると（ステップＳ１０６：Ｎｏ）、認証開始要求処理は終了する。一方、第１装置制御部１０は、認証処理の実行が可能である（例えば、第１画像形成装置１に別ユーザーがログインしていない）と判定すると（ステップＳ１０６：Ｙｅｓ）、第１装置通信機１２及び端末通信機３２を介して、端末制御部３０へ認証処理の開始許可信号を送信する（ステップＳ１０８）。
【００４２】
端末制御部３０は、認証処理の開始許可信号を受信すると、端末通信機３２及び第１装置通信機１２を介して、第１装置制御部１０へ認証情報を送信して（ステップＳ１１０）、認証開始要求処理を終了する。
【００４３】
認証情報は、携帯型端末３を利用する端末ユーザーを示すユーザー識別情報、及びユーザー識別情報と対応するパスワードを示す情報を含む。ユーザー識別情報及びパスワードを示す情報は、端末記憶装置３４に予め記憶されている。端末制御部３０は、認証処理の開始許可信号を受信すると、端末記憶装置３４に記憶されたユーザー識別情報及びパスワードを示す情報を取得して第１装置制御部１０へ送信する。なお、認証情報は、端末制御部３０が認証処理の開始許可信号を受信した後に、端末ユーザーがタッチパネル３１を操作することによって入力されてもよい。
【００４４】
次に、図２、図４及び図５を参照して、本発明の実施形態１に係る第１画像形成装置１によって実行される認証処理について説明する。図５は、本発明の実施形態１に係る第１画像形成装置１によって実行される認証処理を示すフローチャートである。認証処理は、第１装置制御部１０が認証情報を受信すると開始される。
【００４５】
図５に示すように、第１装置制御部１０は、端末通信機３２及び第１装置通信機１２を介して認証情報を受信すると、認証情報と一致する権限ユーザー情報がユーザー登録テーブル１３１に登録されているか否かを判定する（ステップＳ２０２）。第１装置制御部１０は、認証情報と一致する権限ユーザー情報がユーザー登録テーブル１３１に登録されていないと判定すると（ステップＳ２０２：Ｎｏ）、認証不成功信号を第１装置通信機１２及び端末通信機３２を介して端末制御部３０へ送信する（ステップＳ２０４）。これにより、端末ユーザーの第１画像形成装置１へのログインが拒否されて、認証処理が終了する。一方、第１装置制御部１０は、認証情報と一致する権限ユーザー情報がユーザー登録テーブル１３１に登録されている判定すると（ステップＳ２０２：Ｙｅｓ）、認証成功信号を第１装置通信機１２及び端末通信機３２を介して端末制御部３０へ送信する（ステップＳ２０６）。これにより、端末ユーザーの第１画像形成装置１へのログインが許可されて（端末ユーザーが第１画像形成装置１へログインした状態となって）、認証処理が終了する。以下では、端末ユーザーが第１画像形成装置１へログインした状態を「携帯型端末３が第１画像形成装置１にログインした状態」と記載する場合がある。
【００４６】
続いて、図２及び図６を参照して、本発明の実施形態１に係る第１画像形成装置１と携帯型端末３とによって実行される画像形成開始処理について説明する。図６は、本発明の実施形態１に係る第１画像形成装置１と携帯型端末３とによって実行される画像形成開始処理を示すフローチャートである。画像形成開始処理は、携帯型端末３が第１画像形成装置１へログインした状態において、端末ユーザーが印刷ジョブの実行指示を入力すると開始される。
【００４７】
図６に示すように、端末ユーザーがタッチパネル３１を操作して印刷ジョブの実行指示を入力すると、端末制御部３０は、第１画像データを生成する（ステップＳ３０２）。第１画像データは、例えば、タッチパネル３１に表示中の画像の画像データである。次いで、端末制御部３０は、端末通信機３２及び第１装置通信機１２を介して、生成した第１画像データを第１装置制御部１０へ送信する（ステップＳ３０４）。第１装置制御部１０は、第１画像データを受信すると（ステップＳ３０６）、受信した第１画像データに基づいて第１画像形成部１１に画像形成処理を開始させる（ステップＳ３０８）。これにより、第１画像データに基づく画像形成処理が開始されて、画像形成開始処理が終了する。
【００４８】
次に、図２及び図７を参照して、本発明の実施形態１に係る第１画像形成装置１によって実行されるエラー発生情報送信処理について説明する。図７は、本発明の実施形態１に係る第１画像形成装置１によって実行されるエラー発生情報送信処理を示すフローチャートである。エラー発生情報送信処理は、第１画像形成装置１にエラーが発生すると開始される。
【００４９】
図７に示すように、第１装置制御部１０は、エラーが発生すると自己診断処理を実行する（ステップＳ４０２）。次いで、第１装置制御部１０は、ジョブ管理情報１３２を参照して、第１画像データのうち、第１画像形成部１１によって画像が形成されていない未形成画像の画像データがあるか否かを判定する（ステップＳ４０４）。すなわち、第１装置制御部１０は、第１画像データに基づく画像形成処理の実行中にエラーが発生したか否かを判定する。以下、第１画像データのうち、第１画像形成部１１によって画像が形成されていない未形成画像の画像データを「第２画像データ」と記載する。
【００５０】
第１装置制御部１０によって第２画像データがない（第１画像データに基づく画像形成処理が完了した）と判定されると（ステップＳ４０４：Ｎｏ）、エラー発生情報送信処理は終了する。一方、第１装置制御部１０は、第２画像データがある（第１画像データに基づく画像形成処理が完了していない）と判定すると（ステップＳ４０４：Ｙｅｓ）、第１装置通信機１２及び端末通信機３２を介してエラー発生情報を端末制御部３０へ送信する（ステップＳ４０６）。これにより、エラー発生情報送信処理が終了する。
【００５１】
端末制御部３０は、エラー発生情報を受信すると、重大性テーブル３４４を参照してエラーの重大性を示す情報を取得する。本実施形態において、エラーの重大性は、「軽微」及び「重大」を含む。重大性テーブル３４４は、端末記憶装置３４に予め記憶されている（図２参照）。
【００５２】
次に、図８を参照して、実施形態１に係る重大性テーブル３４４について説明する。図８は、実施形態１に係る重大性テーブル３４４の一例を示す図である。
【００５３】
図８に示すように、エラーの重大性３４４ｂは、エラーの内容３４４ａに関連付けられている。図８に示す例では、エラーの内容３４４ａは、「ジャムエラー」、「トナー切れエラー」、「シート切れエラー」、及び「システムエラー」を含む。「ジャムエラー」には、エラーの重大性として「軽微」が関連付けられ、「トナー切れエラー」には、エラーの重大性として「重大」が関連付けられている。また、「シート切れエラー」には、エラーの重大性として「軽微」が関連付けられ、「システムエラー」には、エラーの重大性として「重大」が関連付けられている。
【００５４】
続いて、図２及び図９を参照して、実施形態１に係る携帯型端末３によって実行される選択画面表示処理について説明する。図９は、実施形態１に係る携帯型端末３によって実行される選択画面表示処理を示すフローチャートである。選択画面表示処理は、端末制御部３０がエラー発生情報を受信すると開始される。
【００５５】
図９に示すように、端末制御部３０は、重大性テーブル３４４を参照してエラーの重大性を示す情報を取得する（ステップＳ５０２）。詳しくは、端末制御部３０は、受信したエラー発生情報からエラーの内容を示す情報を取得する。端末制御部３０は、取得したエラーの内容に対応するエラーの重大性を示す情報を取得する。次いで、端末制御部３０は、エラーの重大性が軽微であるか否かを判定する（ステップＳ５０４）。端末制御部３０は、エラーの重大性が軽微であると判定すると（ステップＳ５０４：Ｙｅｓ）、選択画面として第１選択画面をタッチパネル３１に表示させる（ステップＳ５０６）。第１選択画面がタッチパネル３１に表示されると、選択画面表示処理は終了する。一方、端末制御部３０は、エラーの重大性が軽微ではないと判定すると（ステップＳ５０４：Ｎｏ）、すなわち、端末制御部３０は、エラーの重大性が重大であると判定すると、選択画面として第２選択画面をタッチパネル３１に表示させる（ステップＳ５０８）。第２選択画面がタッチパネル３１に表示されると、選択画面表示処理は終了する。
【００５６】
次に、図２、図１０及び図１１を参照して、実施形態１に係るタッチパネル３１に表示される選択画面Ｄについて説明する。図１０は、実施形態１に係る第１選択画面Ｄ１の一例を示す図である。換言すると、図１０は、エラーの重大性が軽微である場合にタッチパネル３１に表示される選択画面Ｄの一例を示す。
【００５７】
図１０に示すように、第１選択画面Ｄ１は、第１メッセージＤ１１、第１選択ボタンＤ１２、及び第２選択ボタンＤ１３を含む。
【００５８】
第１メッセージＤ１１は、第１画像形成装置１で発生したエラーが軽微であることを示す。第１選択ボタンＤ１２が押下されると、第１続行処理を実行するための情報（第１続行処理情報）がタッチパネル３１に表示される。第１続行処理情報は、第１画像形成装置１を通常状態に復帰させるための処理を示す。詳しくは、第１続行処理情報は、第１画像形成装置１で発生しているエラーの内容及びそのエラーを解除するための手順を示す。通常状態は、画像形成処理を実行できる状態を示す。第２選択ボタンＤ１３が押下されると、第２続行処理を実行するための情報（第２続行処理情報）がタッチパネル３１に表示されるとともに、第２画像データの転送処理（第２画像データ転送処理）が開始される。第２続行処理情報は、第２画像データに基づく画像形成処理を実行させるための処理を示す。第２続行処理情報は、第２画像形成装置２が配置された位置を示す情報を含む。
【００５９】
図１１は、実施形態１に係る第２選択画面Ｄ２の一例を示す図である。換言すると、図１１は、エラーの重大性が重大である場合にタッチパネル３１に表示される選択画面Ｄの一例を示す。
【００６０】
図１１に示すように、第２選択画面Ｄ２は、第２メッセージＤ２１、第３選択ボタンＤ２２、及び第４選択ボタンＤ２３を含む。第２メッセージＤ２１は、第１画像形成装置１で発生したエラーが重大であることを示す。第３選択ボタンＤ２２が押下されると、端末制御部３０は、端末通信機３２と第１装置通信機１２とを介して、印刷ジョブの実行を中止する要求を第１装置制御部１０へ送信するとともに、第２選択画面Ｄ２の表示を終了する。第４選択ボタンＤ２３が押下されると、第２続行処理情報がタッチパネル３１に表示されるとともに、第２画像データ転送処理が開始される。
【００６１】
次に、図１、図２、図１２及び図１３を参照して、第１続行処理情報及び第２続行処理情報について説明する。
【００６２】
図１２は、実施形態１に係る第１続行処理情報の一例を示す図である。詳しくは、図１２は、第１画像形成装置１でジャムエラーが発生している場合に表示される第１続行処理情報を示す。
【００６３】
図１２に示すように、第１続行処理情報は、第１画像形成装置１のエラーの発生箇所（シートが詰まっている箇所）を示す情報及びその解除手順を示す情報を含む。これにより、ユーザーは、タッチパネル３１に表示された情報に基づいて、第１画像形成装置１に発生したエラーを解除することができる。この結果、端末ユーザーは、実行を要求した印刷ジョブを、第１画像形成装置１を利用して完了させることができる。
【００６４】
図１３は、実施形態１に係る第２続行処理情報の一例を示す図である。詳しくは、図１３に示すように、第２続行処理情報は、第２画像形成装置２が配置された位置を示す地図情報を含む。なお、第２続行処理情報は、第１画像形成装置１が配置された位置から第２画像形成装置２が配置された位置に至るまでの経路を示す情報を含んでもよい。
【００６５】
次に、図２及び図１４を参照して、実施形態１に係る第１画像形成装置１と携帯型端末３とによって実行される第２画像データ転送処理について説明する。図１４は、実施形態１に係る第１画像形成装置１と携帯型端末３とによって実行される第２画像データ転送処理を示すフローチャートである。第２画像データ転送処理は、図１０を参照して説明した第２選択ボタンＤ１３又は図１１を参照して説明した第４選択ボタンＤ２３が押下されると開始される。
【００６６】
図１４に示すように、第２選択ボタンＤ１３又は第４選択ボタンＤ２３が押下されると、端末制御部３０は、端末通信機３２及び第１装置通信機１２を介して第１装置制御部１０へ第２画像データの転送要求を送信する（ステップＳ６０２）。第１装置制御部１０は、転送要求を受信すると、ジョブ管理情報１３２を参照して第２画像データを第１装置通信機１２及び端末通信機３２を介して端末制御部３０へ送信する（ステップＳ６０４）。なお、第１装置制御部１０は、第１画像データから第２画像データに相当する部分をコピーして送信してもよいし、第１画像データから第２画像データに相当部分を分割（切り取って）して送信してもよい。次いで、端末制御部３０が第２画像データを端末記憶装置３４に記憶させる（ステップＳ６０６）。これにより、第２画像データ転送処理は終了する。
【００６７】
第２続行処理を実行する端末ユーザーは、携帯型端末３を持って、第１画像形成装置１から第２画像形成装置２へ向けて移動する。端末制御部３０は、携帯型端末３が第１画像形成装置１にログインした状態である間、第１離間距離（携帯型端末３と第１画像形成装置１との間の距離）が離間閾値３４３よりも大きいか否かを判定する。端末ユーザーが携帯型端末３を持って第１画像形成装置１から離れることによって第１離間距離が離間閾値３４３よりも大きくなると、端末制御部３０は、端末通信機３２及び第１装置通信機１２を介してログアウト要求を第１画像形成装置１へ送信する。この結果、携帯型端末３が第１画像形成装置１からログアウトする。その後、図４を参照して説明した認証開始要求処理が開始される。端末ユーザーが携帯型端末３を持って第２画像形成装置２へ近づき、第２離間距離（携帯型端末３と第２画像形成装置２との間の距離）が離間閾値３４３以下になると、認証処理の開始要求が携帯型端末３（端末制御部３０）から第２画像形成装置２（第２装置制御部２０）へ送信される（図４のステップＳ１０４）。
【００６８】
第２装置制御部２０は、端末通信機３２及び第２装置通信機２２を介して認証情報を携帯型端末３から受信すると、図５を参照して説明した認証処理と同様に認証処理を実行する。端末制御部３０が第２装置通信機２２及び端末通信機３２を介して第２装置制御部２０から認証成功信号を受信すると、第２画像データに基づく画像形成処理が実行される。
【００６９】
続いて、図３及び図１５を参照して、実施形態１に係る第２画像データに基づく画像形成処理について説明する。図１５は、実施形態１に係る第２画像データに基づく画像形成処理を示すフローチャートである。第２画像データに基づく画像形成処理は、端末制御部３０が認証成功信号を受信すると開始される。
【００７０】
図１５に示すように、端末制御部３０は、認証成功信号を受信すると、端末記憶装置３４に記憶された第２画像データを端末通信機３２及び第２装置通信機２２を介して、第２装置制御部２０へ送信する（ステップＳ７０２）。第２装置制御部２０は、第２画像データを受信すると、第２画像データに基づく画像形成処理を第２画像形成部２１に実行させる（ステップＳ７０４）。これにより、第２画像データに基づく画像形成処理が終了（完了）する。
【００７１】
第２画像データは、第１画像データのうち、第１画像形成部１１によって画像が形成されなかった未形成画像の画像データである。したがって、端末ユーザーは、第１画像形成装置１で完了させることができなかった印刷ジョブを、第２画像形成装置２を利用して完了させることができる。
【００７２】
なお、第１装置制御部１０は、例えば、第１画像形成装置１の第１装置記憶装置１３に記憶された画像データ（第１画像データ）を携帯型端末３が第１画像形成装置１からログアウトすると消去してもよい。あるいは、第１装置制御部１０は、携帯型端末３と第１画像形成装置１との間の距離が第１装置通信機１２と端末通信機３２との通信可能な距離よりも大きくなると消去してもよい。
【００７３】
以上、実施形態１について説明した。本実施形態によれば、携帯型端末３は、エラーの重要性に応じた選択画面をタッチパネル３１に表示させることができる。これにより、端末ユーザーは、印刷ジョブを完了させるための処理を選択することができる。この結果、ユーザーの利便性が向上する。
【００７４】
また、本実施形態によれば、第１画像データのうち、第１画像形成部１１によって画像が形成されなかった未形成画像の画像データ（第２画像データ）だけが携帯型端末３に転送される。したがって、第１画像形成装置１と携帯型端末３との間の無駄な通信の発生を抑制することができる。更に、端末記憶装置３４に無駄な画像データが記憶されることを抑制することができる。
【００７５】
また、本実施形態によれば、携帯型端末３が第２画像形成装置２にログインすると、端末記憶装置３４に記憶された第２画像データが転送される。したがって、端末ユーザーは、印刷ジョブの中断された箇所を把握する必要がない。
【００７６】
なお、本実施形態において、通信が無線ＬＡＮ通信である場合を例に説明したが、通信は、例えば、Ｂｌｕｅｔｏｏｔｈ（登録商標）のような近距離無線通信であってもよい。通信がＢｌｕｅｔｏｏｔｈ（登録商標）である場合、第１装置通信機１２、第２装置通信機２２、及び端末通信機３２は、Ｂｌｕｅｔｏｏｔｈ（登録商標）モジュールであり得る。あるいは、第１装置通信機１２、第２装置通信機２２及び端末通信機３２は、無線ＬＡＮモジュールとＢｌｕｅｔｏｏｔｈ（登録商標）モジュールとが一体に構成された無線通信機であってもよい。あるいは、第１装置通信機１２、第２装置通信機２２、及び端末通信機３２は、ＮＦＣ（Ｎｅａｒ  Ｆｉｅｌｄ  Ｃｏｍｍｕｎｉｃａｔｉｏｎ）モジュールであってもよい。
【００７７】
また、本実施形態では、重大性テーブル３４４が端末記憶装置３４に記憶される場合を例に説明したが、例えば、重大性テーブルは、第１装置記憶装置１３に記憶されてもよい。この場合、第１装置制御部１０は、エラー発生情報に加えて、エラーの重大性を示す情報を携帯型端末３（端末制御部３０）へ送信する。
【００７８】
また、本実施形態において、第２画像形成装置２が１つである場合を例に説明したが、第２画像形成装置２は複数であってもよい。
【００７９】
また、本実施形態において、ユーザー登録テーブル１３１が第１装置記憶装置１３に記憶される場合を例に説明したが、ユーザー登録テーブル１３１は、サーバーのような外部装置が備える記憶領域に記憶されていてもよい。この場合、第１装置制御部１０は、認証情報を受信すると、外部装置が備える記憶領域に記憶されたユーザー登録テーブル１３１を取得して、認証処理を実行する。
【００８０】
また、本実施形態において、第１画像形成装置１が第１画像データを受信する場合を例に説明したが、第２画像形成装置２が第１画像データを受信してもよい。詳しくは、携帯型端末３は、第２画像形成装置２に第１画像データを送信し、第１画像形成装置１に第２画像データを送信し得る。換言すると、第１画像形成装置１と第２画像形成装置２とは互いに同じ処理を実行し得る。
【００８１】
［実施形態２］
続いて、図１６〜図１９を参照して、実施形態２に係る画像形成システム５について説明する。実施形態２は、画像形成システム５が外部装置４を更に備え、第２画像データが外部装置４に送信される点が実施形態１と異なる。以下、実施形態２について実施形態１と異なる事項を説明し、実施形態１と重複する事項の説明は割愛する。
【００８２】
まず、図１６を参照して、本発明の実施形態２に係る画像形成システム５の構成について説明する。図１６は、実施形態２に係る画像形成システム５の構成を示す図である。
【００８３】
図１６に示すように、画像形成システム５は、外部装置４を更に備える。外部装置４は、例えば、サーバーである。外部装置４は、第１画像形成装置１、第２画像形成装置２、及び携帯型端末３と通信可能である。
【００８４】
次に、図１７を参照して、実施形態２に係る画像形成システム５の構成について更に説明する。図１７は、実施形態２に係る画像形成システム５の構成を示すブロック図である。
【００８５】
図１７に示すように、外部装置４は、第３装置制御部４０と、記憶領域４１と、第３装置通信機４２とを備える。
【００８６】
第３装置制御部４０は、ＣＰＵ等によって構成される。第３装置制御部４０は、外部装置４が備える各部の動作を制御する。
【００８７】
記憶領域４１は、ＨＤＤ、ＲＡＭ、及びＲＯＭ等によって構成される。記憶領域４１は、外部装置４の動作を制御するための制御プログラムを記憶する。第３装置制御部４０は、制御プログラムを実行することにより外部装置４の各部の動作を制御する。なお、第３装置制御部４０は、ＨＤＤに替えてＳＳＤ等を含み得る。
【００８８】
第３装置通信機４２は、第１装置通信機１２、及び第２装置通信機２２と通信可能である。本実施形態において、第１装置通信機１２、第２装置通信機２２及び第３装置通信機４２は、ＬＡＮカードを含む。換言すると、第１装置通信機１２、第２装置通信機２２、及び第３装置通信機４２は、ケーブルを含むネットワークを介して通信する。なお、第１画像形成装置１と外部装置４との間の通信及び第２画像形成装置２と外部装置４との間の通信は、無線ＬＡＮ通信であってもよい。
【００８９】
続いて、図１７及び図１８を参照して、実施形態２に係る第２画像データ転送処理について、第１画像データが第１画像形成装置１に送信される場合を例に説明する。図１８は、実施形態２に係る第１画像形成装置１と携帯型端末３とによって実行される第２画像データ転送処理を示すフローチャートである。
【００９０】
図１８に示すように、第１装置制御部１０は、携帯型端末３から端末通信機３２及び第１装置通信機１２を介して第２画像データの転送要求を受信すると（ステップＳ６０２）、第２画像データ及び端末ユーザーを示す端末ユーザー情報を第１装置通信機１２及び第３装置通信機４２を介して第３装置制御部４０へ送信する（ステップＳ８０２）。第３装置制御部４０は、受信した第２画像データ及び端末ユーザー情報を互いに関連付けて記憶領域４１に記憶させる（ステップＳ８０４）。これにより、第２画像データ転送処理が終了する。
【００９１】
次に、図１７及び図１９を参照して、実施形態２に係る第２画像データに基づく画像形成処理について、第２画像データが第２画像形成装置２に送信される場合を例に説明する。図１９は、実施形態２に係る第２画像形成装置２によって実行される第２画像データに基づく画像形成処理を示すフローチャートである。第２画像データに基づく画像形成処理は、第２画像形成装置２が認証成功信号を、第２装置通信機２２及び端末通信機３２を介して端末制御部３０へ送信すると開始される。
【００９２】
図１９に示すように、第２装置制御部２０は、認証成功信号を送信した後、携帯型端末３から受信した端末ユーザー情報と一致する端末ユーザー情報を記憶領域４１から検索する（ステップＳ９０２）。次に、第２装置制御部２０は、検索した端末ユーザー情報と関連付けられた第２画像データを記憶領域４１から受信（取得）する（ステップＳ９０４）。次いで、第２装置制御部２０は、第２画像データに基づく画像形成処理を第２画像形成部２１に実行させる（ステップＳ９０６）。これにより、第２画像がシートに形成されて、第２画像データに基づく画像形成処理が終了する。なお、ステップＳ９０２において、第３装置制御部４０が携帯型端末３から第２画像形成装置２へ送信された端末ユーザー情報と一致する端末ユーザー情報を記憶領域４１から検索してもよい。
【００９３】
以上、実施形態２について説明した。実施形態２によれば、第２画像データは、外部装置４へ送信される。したがって、例えば、携帯型端末３が有する端末記憶装置３４の記憶容量が小さく、端末記憶装置３４が第２画像データを記憶することができない場合であっても、外部装置４を介して第２画像形成装置２に第２画像データを送信することができる。
【００９４】
なお、第１装置通信機１２、及び第２装置通信機２２は、無線ＬＡＮモジュールとＢｌｕｅｔｏｏｔｈ（登録商標）モジュールとが一体に構成された無線通信機であってもよい。この場合、第１装置通信機１２と端末通信機３２との間の通信、及び第２装置通信機２２と端末通信機３２との間の通信は、Ｂｌｕｅｔｏｏｔｈ（登録商標）通信であり、第１装置通信機１２と第３装置通信機４２との間の通信、及び第２装置通信機２２と第３装置通信機４２との間の通信は、無線ＬＡＮ通信である。あるいは、第１装置通信機１２、及び第２装置通信機２２は、無線ＬＡＮモジュールとＢｌｕｅｔｏｏｔｈ（登録商標）モジュールとを別体で含んでもよい。
【００９５】
以上、本発明の実施形態について、図面（図１〜図１９）を参照しながら説明した。但し、本発明は、上記の実施形態に限られるものではなく、その要旨を逸脱しない範囲で種々の態様において実施することが可能である。また、上記の実施形態で示す数値は、一例であって特に限定されるものではなく、本発明の効果から実質的に逸脱しない範囲で種々の変更が可能である。
【００９６】
例えば、本発明の実施形態において、第１画像形成装置１及び第２画像形成装置２が複合機である場合を例に説明したが、第１画像形成装置１及び第２画像形成装置２は、プリンターであってもよい。
【００９７】
また、本発明の実施形態では、携帯型端末３がスマートフォンである場合を例に説明したが、携帯型端末３は、例えば、タブレット型パソコンであってもよい。
【００９８】
また、本発明の実施形態において、第１装置位置情報３４１及び第２装置位置情報３４２が端末記憶装置３４に予め記憶されている場合を例に説明したが、端末制御部３０は、第１画像形成装置１及び第２画像形成装置２の位置を定期的に取得してもよい。この場合、第１画像形成装置１及び第２画像形成装置２は、ＧＰＳ受信機を更に備え、端末制御部３０は、第１画像形成装置１及び第２画像形成装置２が備えるＧＰＳ受信機から送信される位置情報に基づいて、第１装置位置情報及び第２装置位置情報を取得してもよい。これにより、第１画像形成装置１及び第２画像形成装置２の配置場所が変更された場合であっても、携帯型端末３は、第１画像形成装置１との間の離間距離（第１離間距離）及び第２画像形成装置２との間の離間距離（第２離間距離）を取得することができる。
【産業上の利用可能性】
【００９９】
本発明は、携帯型端末及び画像形成装置を備える画像形成システムの分野に利用可能である。
【符号の説明】
【０１００】
１              第１画像形成装置
２              第２画像形成装置
３              携帯型端末
５              画像形成システム
１０            第１装置制御部
１１            第１画像形成部
１２            第１装置通信機
３０            端末制御部
３１            タッチパネル
３２            端末通信機
３１１          ディスプレー
【図１】
2018201152.tif 000003
【図２】
2018201152.tif 000004
【図３】
2018201152.tif 000005
【図４】
2018201152.tif 000006
【図５】
2018201152.tif 000007
【図６】
2018201152.tif 000008
【図７】
2018201152.tif 000009
【図８】
2018201152.tif 000010
【図９】
2018201152.tif 000011
【図１０】
2018201152.tif 000012
【図１１】
2018201152.tif 000013
【図１２】
2018201152.tif 000014
【図１３】
2018201152.tif 000015
【図１４】
2018201152.tif 000016
【図１５】
2018201152.tif 000017
【図１６】
2018201152.tif 000018
【図１７】
2018201152.tif 000019
【図１８】
2018201152.tif 000020
【図１９】
2018201152.tif 000021